(57)【要約】【課題】長尺なシート材を切断して所望の枚数重ね合わせて所定のケース内に不具合を生じることなく効率良く供給できるようにする。【解決手段】供給する所定幅の長尺シート材３を所定幅の長尺な離型フィルム２に重ね合わせて回巻した原反シートドラム１から長尺シート材３と離型フィルム２を繰り出して分離手段５で分離し、長尺シート材３を切断手段８で所定長さに切断してテーブル１４上に重ね合わせ、この集積カットシート材２３を移送手段及び搬送手段１８で所定箇所まで搬送し、切断手段２７で切断して集積小カットシート３１とし、この集積小カットシート３１を押し込み手段３０でケース３２に詰め込む。【選択図】    図１
2004256203.tif 000002
【特許請求の範囲】
【請求項１】
供給する所定幅の長尺シート材を所定幅の長尺な離型フィルムに重ね合わせて回巻した原反シートドラムと、前記長尺シート材を離型フィルムから分離する分離手段と、前記分離手段で分離した離型フィルムを巻き取る離型フィルム巻き取り手段と、分離された長尺シート材を所定幅に切断する切断手段と、切断されて落下するカットシート材を重ね合わせて受けるテーブルと、前記テーブル上の重ね合わされた集積カットシート材を所定位置まで移送する移送手段と、前記移送手段で移送された集積カットシート材を受け取って所定箇所まで搬送する搬送手段と、前記搬送手段で所定位置まで搬送された集積カットシート材をさらに所定長さに切断する切断手段と、この切断手段で切断された集積カット小シートを下方に配置したケースに押し入れる押し込み手段と、からなるシート材の自動切断供給装置。
【請求項２】
前記切断手段によって切断する長尺シート材の切断幅を規制するガイド手段を、切断手段近傍の前記テーブル側に設けた請求項１に記載のシート材の自動切断供給装置。
【発明の詳細な説明】
【０００１】
【産業上の利用分野】
本発明は、可食フィルムやセロハンテープ等の所望のシート材を所定の大きさに切断し、所定場所まで複数枚重ね合わせて供給できるシート材の自動切断・重ね供給装置に関するものである。
【０００２】
【従来の技術】
従来、甘味料を含ませた可食フィルムを所定の大きさに切断し、複数枚を重ね合わせて所定のケースに詰めていく手段として、ケースに入れられる幅の可食フィルムをロール状に巻いて、重ね合わせる可食フィルムの枚数分の本数だけ並べて吊るし、各ロール可食フィルムから繰り出した可食フィルムを所定の長さに切断し、切断した可食フィルムを重ね合わせて所定のケースに詰めている。
【０００３】
なお、可食フィルムに関しては、特開平２０００−１１６３３９号公報や特開平１１−１５５４４９号公報等に開示されている。また、長尺なシート材を切断する一例のテープ切断装置に関しては特開平６−１８３６３４号公報等に開示されている。
【０００４】
【発明が解決しようとする課題】
しかしながら、前記した従来のような長尺な可食フィルムの切断及び重ね合わせ手段では、切断した各可食フィルムを揃えて重ね合わせるのが大変であり、位置ずれしたり捩れたりする等の不具合が生じる。また、各ロール可食フィルムから繰り出して切断するので、各可食フィルムの張力にもばらつきが生じ、切断長さにも微妙に狂いが生じる懸念がある。また、ケース詰めの作業効率の点でも前記従来の手段では効率が悪かった。
【０００５】
本発明は、このような点に鑑みて開発されたものであり、長尺なシート材を切断して所望の枚数重ね合わせて所定のケース内に不具合を生じることなく効率良く供給できるシート材の自動切断・重ね供給装置を提供することを目的とする。
【０００６】
【課題を解決するための手段】
本発明は前記した目的を有効に達成するために、次のような構成にしてある。すなわち、請求項１に記載の本発明のシート材の切断・重ね供給装置は、供給する所定幅の長尺シート材を所定幅の長尺な離型フィルムに重ね合わせて回巻した原反シートドラムと、前記長尺シート材を離型フィルムから分離する分離手段と、前記分離手段で分離した離型フィルムを巻き取る離型フィルム巻き取り手段と、分離された長尺シート材を所定幅に切断する切断手段と、切断されて落下するカットシート材を重ね合わせて受けるテーブルと、前記テーブル上の重ね合わされた集積カットシート材を所定位置まで移送する移送手段と、前記移送手段で移送された集積カットシート材を受け取って所定箇所まで搬送する搬送手段と、前記搬送手段で所定位置まで搬送された集積カットシート材をさらに所定長さに切断する切断手段と、この切断手段で切断された集積カットシートを下方に配置したケースに押し入れる押し込み手段と、からなる構成である。
【０００７】
この構成により、原反シートドラムに巻かれている長尺シート材とともに巻かれている離型フィルムを分離手段を介して離型フィルム巻き取り手段で巻き取ることとにより、長尺シート材は離型フィルムと分離されて切断手段側に送られる。この長尺シート材を切断手段によって所定幅に切断されて所定枚数が下方のテーブル上に集積される。このテーブル上の集積カットシート材を移送手段によって搬送手段で搬送できる位置に移送される。そして搬送手段によって所定位置まで前記集積カットシート材を搬送し、切断手段によってさらに所定長さに切断する。この切断された集積カット小シートを押し込み手段によって下方に配置したケースに押し込まれる。
【０００８】
また、請求項２に記載の本発明のシート材の自動切断供給装置は、請求項１に記載のシート材の自動切断供給装置において、前記切断手段によって切断する長尺シート材の切断幅を規制するガイド手段を、切断手段近傍の前記テーブル側に設けた構成である。
【０００９】
この構成により、切断手段より先方のテーブルの上方に送られて長尺シート材の先端は、ガイド手段によって当って切断位置からガイド手段までの送り長さが規制され、長尺シート材の切断幅が決められる。この切断幅で順次長尺シート材が切断され、下方のテーブル上にガイド手段にガイドされて集積小カットシートとして重ねられていく。
【００１０】
【発明の実施の形態】
以下、本発明の実施の形態を説明する。
図１は本発明に係るシート材の切断・重ね供給装置の説明図である。  図中符合１は原反シートドラムであって、所定幅の長尺なＰＶＡフィルム等から成る離型フィルム２に、可食フィルム等の所定幅の長尺シート材３を重ね合わせて成る原反シート４を、円筒の芯材１ａに同時に巻き付けたものである。前記離型フィルム２は、薄い長尺シート材２に対する補強シートとしての働きを成すものである。
【００１１】
また、前記原反シート４は、原反シートドラム１から繰り出し装置（図示省略）によって繰り出した場合、離型フィルム２が上側に、長尺シート材３が下側に位置するように芯材１ａに巻かれている。
【００１２】
前記原反シートドラム１の前方で原反シート４の繰り出し方向には、前記長尺シート材３を離型フィル２から分離するための剥離装置５（分離手段）が設けられている。
【００１３】
この剥離装置５は、離型フィル２や長尺シート材３の幅よりも少し大きい金属板部材であって、離型フィル２及び長尺シート材３の送り方向（繰り出し方向）に対し直交するようにして離型フィル２の上側に隣接するように設けられている。
【００１４】
前記剥離装置５の上方には、離型フィル２を巻き取るための離型フィルム巻き取り装置６（離型フィルム巻き取り手段）が設けられている。この離型フィルム巻き取り装置６は、駆動装置（図示省略）によってロール軸７を回転させ、前記剥離装置５によって長尺シート材３と分離させた離型フィル２を巻き取る。
【００１５】
前記離型フィルム巻き取り装置６によって離型フィル２を巻き取ることにより、剥離装置５で分離された長尺シート材３は、より円滑に横送りカット装置８（切断手段）側に送られることになる。
【００１６】
横送りカット装置８は、刃部９が長尺シート材３に対して直交させて長尺シート材３の上側に設けられ、上下作動装置（図示省略）によって前記刃部９を上下動させて長尺シート材３を幅方向に切断する。
【００１７】
また、刃部９の前方には、刃部９から前方に送り出された長尺シート材３の先端１０を所定位置で揃える横規制ガイド１１（ガイド手段）が所定間隔を以って２つ設けられている。
【００１８】
この各横規制ガイド１１は、シリンダ１２のロッド１３が駆動装置（図示省略）によって上下動し、長尺シート材３が送られてきたときにロッド１３を下方に突出させて長尺シート材３の先端１０を当て、また、順次切断され集積フィルム受けテーブル１４（以下、テーブル）に重ね上げられるカットシート材１５の長手方向側の一側端１６を強制的に揃える。
【００１９】
長尺シート材３は、制御機構やセンサ等（図示省略）によって前記刃部９から前方への送り長さが制御され、刃部９によって所定長さ（図示の例では刃部９の刃先端からロッド１３の刃部９側の外周面までの幅）に切断される。
【００２０】
長尺シート材３は、このようにして順次切断されてカットシート材１５に形成され、下方で待機するテーブル上に順次積み重ねられていく。
【００２１】
前記テーブル１４は、駆動装置（図示省略）によって上下動し、下降した時にテーブル上面１７が後述するアタッチメント付きチエーンコンベア１８の上側に設けた摺動用案内部材１９の上面と面一になる。
【００２２】
このテーブル１４には、前記各ロッド１３の先端部を挿入できる穴２０が形成され、さらに細長い開口部２２が幅方向の２箇所に所定間隔を以って図示のように設けられている。この開口部２２には、テーブル上面１７に載置される集積カットシート材２３を前記チエーンコンベア１８側に押すための送りガイド軸部材２１が、移動可能に係合させる。なお、開口部２２は２箇所に限らず３箇所以上に設けてもよい。開口部２２の幅は適宜取り決めればよい。
【００２３】
前記テーブル１４の傍には、テーブル上の重ね合わされた集積カットシート材２３をチエーンコンベア１８側まで移送させる前記送りガイド軸部材２１を移動させる集積フィルム横送り装置２４（移送手段）が設けられている。
【００２４】
集積フィルム横送り装置２４は、シリンダ２５と、２つの前記送りガイド軸部材２１と、この両送りガイド軸部材２１を同時に往復移動できるように支持する支持杆（図示省略）等からなる。支持杆の一端部は前記シリンダ２５のロッドの先端に連結されている。このシリンダ２５のロッドを作動させることにより、各送りガイド軸部材２１は、所定位置まで降下したテーブル１４の開口部２２内を移動して、集積カットシート材２３をチエーンコンベア１８側まで移送させることができる。
【００２５】
前記チエーンコンベア１８には、所定間隔ごとにアタッチメント２６が設けてあり、前記集積フィルム横送り装置２４によって摺動用案内部材１９上に移送されてきた集積カットシート材２３を、チエーンコンベア１８の回転駆動に伴って後述する縦送りカット装置２７（切断手段）側に押して搬送できるようにしてある。チエーンコンベア１８は長方形状空間の各隅に設けたスプロケット２８に回転自在に係合されていて、駆動装置（図示省略）によって縦送りカット装置２７方向に回転駆動する。
【００２６】
前記摺動用案内部材１９は、チエーンコンベア１８の上部側の上方に沿って設けられ、アタッチメント２６の通過する通路２０を有している。
【００２７】
チエーンコンベア１８の上部側の一端近傍には縦送りカット装置２７
が設けられていて、長細い集積カットシート材２３を幅方向に切断してさらに小さくできるようにしてある。
【００２８】
前記縦送りカット装置２７の前方側には、投入押さえガイド３０（押し込み手段）が設けられていて、縦送りカット装置２７で所定長さに切断された集積小カットシート３１を下方に配置したケース３２に押し入れることができる。
【００２９】
前記のような構成からなる本発明のシート材の自動切断供給装置によって、長尺シート材３を所定の大きさに切断し、複数枚を重ね合わせた状態で所定の大きさのケース３２に自動的に投入していく過程を説明する。
【００３０】
先ず原反シートドラム１に巻かれている原反シート４を繰り出して、剥離装置５を介して離型フィルム２を離型フィルム巻き取り装置６のロール軸７に先端部を巻き付ける。そして制御装置（図示省略）によって制御して、原反シート４を繰り出すとともに、離型フィルム巻き取り装置６によって離型フィルム２をロール軸７で巻き取っていく。
【００３１】
一方、長尺シート材３は横送りカット装置８側に送られ、切断幅分だけ刃部９より前方に送られる。この時，横規制ガイド１１は、ロッド１３を下方に突出してテーブル１２の各穴２０に挿入し、長尺シート材３の先端をロッド１３で止めるストッパと成る。前記刃部９から前方に突き出した切断幅分の長尺シート材３は、横送りカット装置８によって幅方向に切断される。
【００３２】
長尺シート材３を切断したことにより得られるカットシート材１５は、落下して下方に待機するテーブル上に載置されると共に、前記ロッド１３によって一側端１６を揃えられる。
【００３３】
前記のようにして長尺シート材３は、細長いカットシート材１５に形成され、順次所定枚数分のカットシート材１５がテーブル上に積み重ねられていく。一定枚数に達すると各ロッド１３はシリンダ内に収納され、テーブル１４は複数舞のカットシート材１５を重ね合わせた集積カットシート材２３を載せて降下し、テーブル上面１７が摺動用案内部材１９の上面と面一になる位置まで降下して停止する。
【００３４】
そして集積ファイル横送り装置２４が駆動して、各送りガイド軸部材２１がテーブル１４の開口部２３内をチエーンコンベア１８側に移動させる。この各送りガイド軸部材２１の移動によって、テーブル上面１７の集積カットシート材２３は摺動して摺動用案内部材１９の上に移送される。
【００３５】
摺動用案内部材１９の上に移送された集積カットシート材２３は、チエーンコンベア１８の回転駆動によってアタッチメント２６で後端を押され、縦送りカット装置２７側に搬送される。
【００３６】
そして集積カットシート材２３は、切断する長さ分だけ縦送りカット装置２７の刃より先方に送り出される。その後、縦送りカット装置２７によって集積カットシート材２３が幅方向に切断されて集積小カットシート材３１が形成され、集積小カットシート材３１は投入押さえガイド３０で押し下げられてケース３２内に投入される。
【００３７】
このようにして前記した長尺シート材３は、順次自動的に集積小カットシート材３１にされてケース３２に詰め込まれていく。
【００３８】
【発明の効果】
以上の説明からも明らかなように本発明のシート材の自動切断供給装置は、所定幅の長尺シート材から所定のケースに収納できる大きさの集積小カットシート材に自動的に切断し、かつ所定枚数重ね合わせた状態で前記ケースに投入することができる。したがって、可食フィルム等の薄いシート材でも積み重ねた個々のカットシート材に位置ずれが生じたり、捩れが生じたり等の不具合が生じることもない。
【００３９】
また、切断手段の前方にガイド手段を設けたことにより、送られてくる長尺シート材の先端は、ガイド手段によって当って切断位置からガイド手段までの送り長さが規制され、長尺シート材の切断幅が決められる。この切断幅で順次長尺シート材が切断され、下方のテーブル上にガイド手段にガイドされて集積カットシートとして、位置ずれ起こすことなく正確に重ねられて次工程に送ることができる。
【００４０】
【図面の簡単な説明】
【図１】本発明に係る一例のシート材の自動切断供給装置の簡略説明図である。
【符号の説明】
１      原反シートドラム
２      離型フィルム
３      長尺シート材
５      剥離装置（分離手段）
６      離型フィルム巻き取り装置（離型フィルム巻き取り手段）
８      横送りカット装置（切断手段）
１１    横規制ガイド（ガイド手段）
１４    集積フィルム受けテーブル（テーブル）
１８    アタッチメント付きチエーンコンベア（搬送手段）
２３    集積カットシート材
２４    集積フィルム横送り装置（移送手段）
２７    縦送りカット装置（切断手段）
３０    投入押さえガイド（押し込み手段）
３１    集積小カットシート材
３２    ケース
【図１】
2004256203.tif 000003